(57)【要約】【課題】  タイム等の取得状況を適切に管理することのできる管理装置等を提供する。【解決手段】  処理装置４０は、受信機３０を介して無線タグ５０から送られた計時タイム等を取得する。処理装置４０は、取得した情報に基づいて、各無線タグ５０の識別情報と受信状況との対応関係を示すタグ状況一覧を生成して表示する。処理装置４０は、タグ状況一覧に含まれる任意のステータスが指定されると、そのステータスに合致する情報を、タグ状況一覧から検索して表示する。【選択図】  図１
2006280608.tif 000002
【特許請求の範囲】
【請求項１】
複数の競技者にそれぞれ携帯される計時機器を管理する管理装置であって、
前記各計時機器から送信される情報を受信する受信手段と、
前記各計時機器に向けて情報を送信する送信手段と、
前記受信手段が受信した情報に基づいて、前記各計時機器の識別情報と前記送受信の状況および／または前記受信した情報に基づく処理の状況とを関連付けてそれぞれの状況情報とし、これらの状況情報を示す状況一覧を生成する一覧生成手段と、
前記一覧生成手段により生成された前記状況一覧を表示する表示手段と、
前記状況一覧に含まれる任意の状況を指定する指定手段と、
前記指定手段により指定された状況に合致する前記状況情報を、前記状況一覧から検索する検索手段と、
前記検索手段により検索された前記状況情報を前記表示手段に表示させる表示制御手段と、
を備えることを特徴とする管理装置。
【請求項２】
所定の基準時刻を計時する基準時刻計時手段を更に備え、
前記送信手段が、前記基準時刻計時手段により計時される基準時刻を、前記計時機器に向けて送信し、
前記状況一覧として、前記一覧生成手段が、前記送信手段が送信した基準時刻に対する前記計時機器の同期状況を含む状況一覧を生成する、
ことを特徴とする請求項１に記載の管理装置。
【請求項３】
前記受信手段が、所定の前記計時機器に向けてポーリングによる情報の受信を試み、
前記状況一覧として、前記一覧生成手段が、前記ポーリングによる受信状況を含む状況一覧を生成する、
ことを特徴とする請求項１又は２に記載の管理装置。
【請求項４】
前記状況一覧として、前記一覧生成手段が、予め定められた各状況に合致する前記状況情報を集計した件数を含む状況一覧を生成する、
ことを特徴とする請求項１乃至３の何れか１項に記載の管理装置。
【請求項５】
複数の競技者にそれぞれ携帯される計時機器を管理する装置における検索表示方法であって、
前記各計時機器から送信される情報を受信する受信ステップと、
前記各計時機器に向けて情報を送信する送信ステップと、
前記受信ステップにて受信した情報に基づいて、前記各計時機器の識別情報と前記送受信の状況および／または前記受信した情報に基づく処理の状況とを関連付けてそれぞれの状況情報とし、これらの状況情報を示す状況一覧を生成する一覧生成ステップと、
前記一覧生成ステップにて生成された前記状況一覧を所定の表示部に表示する表示ステップと、
前記状況一覧に含まれる任意の状況を指定する指定ステップと、
前記指定ステップにて指定された状況に合致する前記状況情報を、前記状況一覧から検索する検索ステップと、
前記検索ステップにて検索された前記状況情報を前記表示部に表示させる表示制御ステップと、
を備えることを特徴とする検索表示方法。
【発明の詳細な説明】
【技術分野】
【０００１】
この発明は、タイム等の取得状況を適切に管理することのできる管理装置、および、検索表示方法に関する。
【背景技術】
【０００２】
近年、マラソン競技において、競技者個々のゴールタイムを計測（計時）する試みがなされている。例えば、競技者のゼッケン等にバーコードを印刷しておき、ゴールした競技者のバーコードをリーダにて読み取った時刻に基づいて、競技者個々のゴールタイムを計測する計測システムも実用化されている。
【０００３】
最近では、各計時ポイントにおける通過タイムも含めた競技タイムを計測可能とするために、非接触にて競技者個々の競技タイムを計測する試みがなされている。例えば、競技者に発信器を保持させ、この発信器から送られる情報により、競技タイムを計測する計測システムが開発されつつある。
一例として、ゴールラインに沿った幅の狭い範囲内に発信器により引き金信号を発信させ、競技者と共に発信器がゴールラインに到達すると、発信器から自動的に固有番号信号を送信させるといった技術も開示されている（例えば、特許文献１参照）。
【特許文献１】特開平８−５７１０４号公報  （第３−６頁、第１図）
【発明の開示】
【発明が解決しようとする課題】
【０００４】
特許文献１に開示される技術は、発信器から送信された固有番号信号をレシーバが受信した時点で、競技タイムを測定する。そして、レシーバに接続された記録表示装置では、レシーバの受信状況（発信器から送られる固有番号信号の受信有無）や、受信時に計時した競技タイム等を管理する。
なお、発信器が固有番号信号を１回だけ発信するのではなく、複数回に渡って発信することで、レシーバでの固有番号信号の読み取り不能（取りこぼし）を回避しようとしている。
【０００５】
それでも、複数の固有番号信号が同時期に送信されると、レシーバにて固有番号信号のとりこぼしを生じてしまう場合があった。つまり、固有番号信号の受信による競技タイムの計時を、制限のある範囲内（トリガ信号が送信される幅の狭い範囲内）にて、全て行わなければならないため、固有番号信号の重なりが多くなると、複数回の発信が行われたとしても、固有番号信号の取りこぼしが発生してしまう。
【０００６】
そのため、記録表示装置では、各発信器から送られる固有番号信号の受信状況等を適切に管理する必要がある。例えば、記録表示装置に、固有番号とその受信状況（受信の有無等）とを対応付けた受信状況一覧を表示しておき、レシーバが固有信号を受信すると、その一覧中の対応するデータを更新する。
つまり、このような受信状況一覧を記録表示装置に表示することで、競技役員等が、固有番号信号の取りこぼし等を監視することができる。
【０００７】
しかしながら、現実には、競技者の数が多くなると、受信状況一覧を１画面に納めることができなくなり、競技役員等の管理作業が困難となってしまう。
つまり、受信状況一覧を記録表示装置上にてスクロール表示することになり、競技役員等がスクロールバーを操作しつつ、表示範囲を適宜変化させながら取りこぼし等を監視する必要があるため、極めて煩雑であった。
また、表示されていない箇所で、受信状況が変化したとしても、競技役員等は、その時点で認識できず、表示範囲を変化させその箇所が表示された時点で、初めて、その変化を認識できることになる。そのため、取りこぼし等への対応が遅れがちになるだけでなく、取りこぼし等の発生自体を見落としてしまうことも起こり得る。
このように、受信状況一覧をスクロール表示させる場合に、競技役員等の管理作業が著しく困難になるという問題があった。
【０００８】
本発明は、上記実状に鑑みてなされたもので、タイム等の取得状況を適切に管理することのできる管理装置、および、検索表示方法を提供することを目的とする。
【課題を解決するための手段】
【０００９】
上記目的を達成するため、本発明の第１の観点に係る管理装置は、
複数の競技者にそれぞれ携帯される計時機器を管理する管理装置であって、
前記各計時機器から送信される情報を受信する受信手段と、
前記各計時機器に向けて情報を送信する送信手段と、
前記受信手段が受信した情報に基づいて、前記各計時機器の識別情報と前記送受信の状況および／または前記受信した情報に基づく処理の状況とを関連付けてそれぞれの状況情報とし、これらの状況情報を示す状況一覧を生成する一覧生成手段と、
前記一覧生成手段により生成された前記状況一覧を表示する表示手段と、
前記状況一覧に含まれる任意の状況を指定する指定手段と、
前記指定手段により指定された状況に合致する前記状況情報を、前記状況一覧から検索する検索手段と、
前記検索手段により検索された前記状況情報を前記表示手段に表示させる表示制御手段と、
を備えることを特徴とする。
【００１０】
この発明によれば、受信手段は、各計時機器から送信される情報を受信する。また、送信手段は、各計時機器に向けて情報を送信する。一覧生成手段は、受信手段が受信した情報に基づいて、各計時機器の識別情報と送受信の状況および／または受信した情報に基づく処理の状況とを関連付けてそれぞれの状況情報とし、これらの状況情報を示す状況一覧を生成する。表示手段は、一覧生成手段により生成された状況一覧を表示する。指定手段は、状況一覧に含まれる任意の状況を指定する。検索手段は、指定手段により指定された状況に合致する状況情報を、状況一覧から検索する。そして、表示制御手段は、検索手段により検索された状況情報を表示手段に表示させる。
この結果、タイム等の取得状況を適切に管理することができる。
【００１１】
上記の管理装置に、所定の基準時刻を計時する基準時刻計時手段を更に設け、
前記送信手段が、前記基準時刻計時手段により計時される基準時刻を、前記計時機器に向けて送信し、
前記状況一覧として、前記一覧生成手段が、前記送信手段が送信した基準時刻に対する前記計時機器の同期状況を含む状況一覧を生成してもよい。
【００１２】
前記受信手段が、所定の前記計時機器に向けてポーリングによる情報の受信を試み、
前記状況一覧として、前記一覧生成手段が、前記ポーリングによる受信状況を含む状況一覧を生成してもよい。
【００１３】
前記状況一覧として、前記一覧生成手段が予め定められた各状況に合致する前記状況情報を集計した件数を含む状況一覧を生成してもよい。
【００１４】
上記目的を達成するため、本発明の第２の観点に係る検索表示方法は、
複数の競技者にそれぞれ携帯される計時機器を管理する装置における検索表示方法であって、
前記各計時機器から送信される情報を受信する受信ステップと、
前記各計時機器に向けて情報を送信する送信ステップと、
前記受信ステップにて受信した情報に基づいて、前記各計時機器の識別情報と前記送受信の状況および／または前記受信した情報に基づく処理の状況とを関連付けてそれぞれの状況情報とし、これらの状況情報を示す状況一覧を生成する一覧生成ステップと、
前記一覧生成ステップにて生成された前記状況一覧を所定の表示部に表示する表示ステップと、
前記状況一覧に含まれる任意の状況を指定する指定ステップと、
前記指定ステップにて指定された状況に合致する前記状況情報を、前記状況一覧から検索する検索ステップと、
前記検索ステップにて検索された前記状況情報を前記表示部に表示させる表示制御ステップと、
を備えることを特徴とする。
【００１５】
この発明によれば、受信ステップは、各計時機器から送信される情報を受信する。また、送信ステップは、各計時機器に向けて情報を送信する。一覧生成ステップは、受信ステップにて受信した情報に基づいて、各計時機器の識別情報と送受信の状況および／または受信した情報に基づく処理の状況とを関連付けてそれぞれの状況情報とし、これらの状況情報を示す状況一覧を生成する。表示ステップは、一覧生成ステップにて生成された状況一覧を所定の表示部に表示する。指定ステップは、状況一覧に含まれる任意の状況を指定する。検索ステップは、指定ステップにて指定された状況に合致する状況情報を、状況一覧から検索する。そして、表示制御ステップは、検索ステップにて検索された状況情報を表示部に表示させる。
この結果、タイム等の取得状況を適切に管理することができる。
【発明の効果】
【００１６】
本発明によれば、タイム等の取得状況を適切に管理することができる。
【発明を実施するための最良の形態】
【００１７】
本発明の実施の形態にかかる計時システムについて、以下図面を参照して説明する。なお、一例として、計時システムがマラソン競技に適用された場合について説明する。
【００１８】
（実施形態１）
図１は、この発明の実施の形態に適用される計時システムの構成の一例を示す模式図である。
図示するように、この計時システムは、走路（競技コース）中の各計時ポイント（ゴール地点も含む）に配置される磁場発生装置１０、ループコイル１１、送信機２０、受信機３０、及び、処理装置４０と、競技者ＲＮに携帯される無線タグ５０とを含んで構成される。
【００１９】
磁場発生装置１０は、走路の沿道に配置され、ループコイル１１上に電磁場を発生させる。具体的に磁場発生装置１０は、所定周波数に同期した正弦波を発生させる正弦波発生回路と、発生させた正弦波を増幅してループコイル１１に供給する電力増幅回路とを含んで構成される。
【００２０】
ループコイル１１は、略「８の字」形状に形成されたコイルであり、競技者ＲＮが走行する走路上（具体的には、計時ラインＬ上）に適宜配置される。
ループコイル１１は、一例として、図２（ａ）に示すように、矩形（方形）のコイル部を競技者ＲＮの走行方向（矢印Ａ方向）に２つ連ねたような８の字に形成されている。より詳細には、ループコイル１１は８の字順方向巻きとなっており、８の字の中心（中点）、すなわち交差部に給電点ｓを有するように形成され、この給電点ｓを通って競技者ＲＮの走行方向に対して直交する方向に延びる直線ｂを中心線として、略平行に所定距離だけ隔てた直線ａ，ｂに沿って、８の字の上下部が形成されている。なお、ループコイル１１は、この直線ｂが計時を行うための計時ラインＬに重なるように配置される。
【００２１】
そして、ループコイル１１は、図２（ａ）の給電点ｓから矢印方向に電流が流れるようになっており、磁場発生装置１０から正弦波が供給されると、コイル上に交流電磁場を生成する。具体的には、図２（ｂ）に示すように、一方のコイル部上に第１の電磁場１１０ａを生成するとともに、他方のコイル部上に第１の電磁場１１０ａに対して競技者ＲＮの走行方向（矢印Ａ方向）に隣接し且つ第１の電磁場１１０ａと電磁力を打ち消しあう第２の電磁場１１０ｂを生成する。
つまり、直線ｂ上の電磁場の磁界強度は、第１の電磁場１１０ａと第２の電磁場１１０ｂとの電磁場の磁力の打ち消しにより、その両側の電磁界強度よりも極めて小さくなっている（例えば、電磁界強度が”０”となっている）。
【００２２】
図示するような電磁場中を、電磁場の検出方向（検出コイル面Ｄに対して直角な方向）が走路と垂直（つまり、検出コイル面Ｄが走路に対して平行方向）に配置された電磁場検出コイルＣ（後述する無線タグ５０のＬＦアンテナ５１）が矢印Ｂ方向に移動すると、図２（ｃ）に示すような電磁界強度分布が得られる。つまり、電磁場検出コイルＣは、走路に対して垂直方向の磁束をコイル面Ｄにて捉えることになるため、丁度中心にて、電磁界強度が極めて小さくなる（例えば、電磁界強度が”０”となる）図２（ｃ）に示すような電磁界強度分布を検出する。
このため、競技者ＲＮがループコイル１１上を、矢印Ｂ方向に沿って通過した場合に、無線タグ５０は、計時ライン上（直線ｂ上）を、第１の電磁場１１０ａと第２の電磁場１１０ｂとの間の電磁場の変極点（後述するトリガポイント）として検出することができる。
【００２３】
図１に戻って、送信機２０は、上述したループコイル１１の近傍に配置され、処理装置４０が計時する基準時刻（時刻情報）を、競技者ＲＮと共に近傍に移動してきた無線タグ５０に向けて送信する。
そして、無線タグ５０は、後述するように、自己が計時する時刻をこの基準時刻に同期させる。
【００２４】
受信機３０は、上述したループコイル１１の近傍に配置され、ループコイル１１上を通過した無線タグ５０から送られる計時タイム及びタグＩＤを受信する。そして、受信した計時タイム等を処理装置４０に供給する。
受信機３０は、処理装置４０に制御され、任意の無線タグ５０を指定して計時タイム等をポーリング受信する。
【００２５】
処理装置４０は、受信機３０が受信した計時タイム等を集計する。また、各競技者ＲＮ（各無線タグ５０）から送信される計時タイム等の取得状況も管理する。そして、取得した計時タイムを速報データとして、図示せぬ放送システム等に送信する。
【００２６】
一例として、処理装置４０は、基準時刻計時手段としての基準時刻計時部４１と、時刻情報送信手段としての時刻情報供給部４２と、指定手段としての操作部４３と、情報受信手段としての計時タイム取得部４４と、検索手段としての制御部４５と、記憶部４６と、速報データ送信部４７と、表示制御手段としての表示制御部４８と、表示手段としての表示部４９と、を含んで構成される。
【００２７】
基準時刻計時部４１は、所定のタイマ回路等からなり、システムにおいて基準となる基準時刻を計時する。一例として、基準時刻計時部４１は、正確な現在時刻等を計時する。計時する時刻は、例えば、競技開始からの経過時間、所謂ランニングタイムである。なお、基準時刻計時部４１は、例えば、高安定水晶発振器等を備えており、基準時刻の計時を安定して維持することが可能となっている。
【００２８】
時刻情報供給部４２は、制御部４５に制御され、基準時刻計時部４１が計時する基準時刻（時刻情報）を送信機２０に供給する。
そして、送信機２０は、近傍の無線タグ５０に向けてこの基準時刻を送信し、無線タグ５０が計時する時刻を基準時刻に同期させる。
なお、より詳細には、無線タグ５０が基準時刻との同期を済ますと、送信機２０に向けて自己のタグＩＤを送信（応答）する。そのため、時刻情報供給部４２は、送信機２０が応答のタグＩＤを受信した場合に、その無線タグ５０が基準時刻との同期を行ったことを判別する。
【００２９】
操作部４３は、キーボードやマウス等の入力デバイスが接続され、処理装置４０を使用する競技役員等による入力操作を受け付ける。
具体的に操作部４３は、後述するタグ状況一覧に対する種々の入力（ボタン操作やスクロール操作等）を受け付ける。
【００３０】
計時タイム取得部４４は、受信機３０を介して、ループコイル１１上を通過した無線タグ５０から送られる計時タイム及びタグＩＤを取得する。そして、取得した計時タイム等を制御部４５に供給する。
また、計時タイム取得部４４は、受信機３０を制御し、任意の無線タグ５０を指定して計時タイム等をポーリング受信する。
【００３１】
制御部４５は、処理装置４０全体を制御する。
すなわち、制御部４５は、時刻情報供給部４２を制御して、基準時刻計時部４１にて計時される基準時刻（時刻情報）を、送信機２０に供給する。
また、制御部４５は、受信機３０が受信した計時タイム等を取得し、記憶部４６に順次記憶する。そして、タグ状況一覧を生成し、表示制御部４８を介して表示部４９に表示する。
【００３２】
具体的に制御部４５は、図３に示すようなタグ状況一覧を、表示部４９にスクロール可能に表示させる。
図３は、タグ状況一覧（全体）の一例を示す模式図である。図示するように、このタグ状況一覧には、左側にエリアａ１が区分けされ、また、右側にエリアａ２が区分けされている。
エリアａ１には、計時タイムの受信状況を示す計時状況（取得状況一覧）が配置される。この計時状況の一例を図４（ａ）に示す。
図示するように、計時状況は、Ｎｏ（番号）、チェックボックス、タグＩＤ（無線タグ５０の識別情報）、着順、ゼッケン、タイム（計時タイム）、Ｇ（グリップ入力）、補正（補正の有無）、選手名、及び、所属等の各項目から構成されている。なお、タグＩＤは、ステータスに応じて、例えば、背景が色分けされている。
一例として、背景色が白の場合に、計時タイムを未取得のステータスを示し、背景色が青の場合に、計時タイムを取得済、かつ、速報データを送信済のステータスを示している。また、背景色が黄の場合に、計時タイムを取得済、かつ、速報データを送信失敗のステータスを示し、背景色が赤の場合に、計時タイムの取得失敗を示している。速報データとは、図示せぬ放送システムに送られる計時タイムで、放送システムではこれを暫定的な計時タイムとして放送する。なお、速報データは図示せぬ競技役員等の管理端末にも送信される。速報データはこの管理端末の表示部に表示されて、競技役員等の目視確認の上、正式な計時タイムとして確定操作される。確定された正式な計時タイムは、この管理端末から図示せぬデータセンタに送信され、その記憶装置に格納される。
【００３３】
図３に戻って、エリアａ２には、ポーリング受信における受信状況を示すポーリング状況（ポーリング状況一覧）が配置される。このポーリング状況の一例を図４（ｂ）に示す。
図示するように、ポーリング状況は、Ｎｏ、チェックボックス、タグＩＤ、ゼッケン、リンク（基準時刻との同期の有無）、選手名、及び、所属等の各項目から構成されている。
なお、タグＩＤは、ステータスに応じて、例えば、背景が色分けされている。
一例として、背景色が白の場合に、計時タイムを未取得（ポーリング要）のステータスを示し、背景色が黄色の場合に、基準時刻と同期済のステータスを示している。また、背景色が青の場合に、計時タイムを取得済のステータスを示し、また、背景色が赤の場合に、ポーリング失敗を示している。
なお、各項目により、計時状況（取得状況一覧）及びポーリング状況（ポーリング状況一覧）をソートして表示する。例えば、着順でソートしておけば、処理装置４０にて受信した無線タグ５０の順にタグＩＤを計時状況（取得状況一覧）に表示する。処理装置４０は、このようなエリアａ１、ａ２にそれぞれ計時状況、ポーリング状況を表示することにより、例えば、計時状況において着順の上位にあって計時タイムを未取得のステータスのものがあれば、隣のポーリング状況を確認しつつ、ポーリング操作が行える等、状況の確認と障害回復の操作とが容易に行えるような構成となっている。
【００３４】
図３に戻って、タグ状況一覧の中央には、種々のボタンや接続状況等を報知するシンボル等が配置されている。
一例として、ボタンｂ１〜ｂ３は、上述した図４（ａ）の計時状況から、各ステータスのタグＩＤを検索表示するためのボタンである。なお、ボタンｂ１〜ｂ３には、それぞれのステータスに合致するタグＩＤの件数が表示される。
具体的に説明すると、ボタンｂ１は、計時状況において、計時タイムが未取得のステータス（背景色が白）となっているタグＩＤを検索表示するためのボタンである。また、ボタンｂ２は、計時タイムが取得済、かつ、速報データが送信失敗のステータス（背景色が黄）となっているものを、そして、ボタンｂ３は、計時タイムが取得失敗のステータス（背景色が赤）となっているものを、検索表示するためのボタンである。
一方、ボタンｂ４〜ｂ６は、上述した図４（ｂ）のポーリング状況から、各ステータスのタグＩＤを検索表示するためのボタンである。なお、ボタンｂ４〜ｂ５には、それぞれのステータスに合致するタグＩＤの件数が表示される。
具体的に説明すると、ボタンｂ４は、ポーリング状況において、計時タイムが未取得のステータス（背景色が白）となっているタグＩＤを検索表示するためのボタンである。また、ボタンｂ５は、基準時刻と同期済のステータス（背景色が黄）となっているものを、そして、ボタンｂ６は、ポーリング失敗のステータス（背景色が赤）となっているものを、検索表示するためのボタンである。
【００３５】
制御部４５は、このようなタグ状況一覧を、適宜更新しつつ、表示部４９に表示させる。例えば、新たに、計時タイム取得部４４にて計時タイム等が取得されると、対応するタグＩＤのステータス等を変化させる。
【００３６】
図１に戻って、記憶部４６は、計時タイム取得部４４が取得した計時タイム等を順次記憶する。
また、記憶部４６は、制御部４５が上述したタグ状況一覧を生成する際に必要な情報も適宜記憶する。
【００３７】
速報データ送信部４７は、制御部４５が収集した（場合によっては編集した）各無線タグ５０の計時タイムを速報データとして、図示せぬ放送システム等に向けて送信する。
なお、上述した図４（ａ）に示す計時状況において、所望のタグＩＤのチェックボックスがチェックされ、速報データの送信が指示された場合にも、速報データ送信部４７は、その計時タイムを速報データとして送信する。
【００３８】
表示制御部４８は、制御部４５により生成され、適宜更新される上述したタグ状況一覧を、表示部４９にて表示可能な表示画像に適宜変換し、表示部４９に表示させる。
【００３９】
表示部４９は、所定のディスプレイ等からなり、表示制御部４８を介して供給された上述のタグ状況一覧等を表示する。
【００４０】
一方、競技者ＲＮに携帯される無線タグ５０は、競技者ＲＮと共に走路上を移動する。そして、無線タグ５０は、計時ラインＬ上にて、ループコイル１１にて生成される電磁場の変極点を検出し、その時点で計時している時刻を計時タイムとして特定する。
【００４１】
一例として、無線タグ５０は、ＬＦアンテナ５１と、増幅回路５２と、電磁場検出手段及び計時ポイント検出手段としての検出回路５３と、計時タイム特定手段としての制御部５４と、計時手段としての計時部５５と、記憶部５６と、時刻情報受信手段及びタイム送信手段としての通信回路５７と、を含んで構成される。
【００４２】
ＬＦ（Low Frequency）アンテナ５１は、上述したループコイル１１から発生される電磁場を検出する。つまり、磁場発生装置１０によりループコイル１１上に生成された電磁場を検出する。
そして、ＬＦアンテナ５１は、検出した電磁界強度を示す検出信号を増幅回路５２に供給する。
【００４３】
増幅回路５２は、ＬＦアンテナ５１から供給される検出信号を適宜増幅して、検出回路５３に供給する。
【００４４】
検出回路５３は、増幅回路５２から供給される検出信号に従って、ループコイル１１上における電磁場の変極点（計時ラインＬ）を検出する。
より詳細に説明すると、検出回路５３は、一例として、図５（ａ）に示すような抵抗Ｒ１〜Ｒ３、コンデンサＣ、及び、オペアンプＯＰから構成される。この検出回路５３は、入力される検出信号の電圧の増加時に所定電圧の信号を出力し、また、入力される検出信号の電圧の減少時には信号を出力しない。
そのため、ループコイル１１上において、検出回路５３は、図５（ｂ）に示すように、生成された電磁場の電磁界強度の増加を検出し、２回目の電磁界強度の増加時に電磁場の変極点として検出する。つまり、図５（ｂ）に示す２回目の立ち上がりを、ループコイル１１上におけるトリガポイントとして特定する。
【００４５】
図１に戻って、制御部５４は、無線タグ５０全体を制御する。例えば、制御部５４は、送信機２０から送られる基準時刻を通信回路５７が受信すると、この基準時刻と同期するように計時部５５の計時する時刻を適宜設定（補正）する。
また、制御部５４は、検出回路５３がループコイル１１上における電磁場の変極点を検出したタイミングで、計時部５５が計時する時刻を計時タイムとして特定する。そして、特定した計時タイムを、記憶部５６に順次記憶する。
【００４６】
計時部５５は、制御部５４により適宜補正（設定）され、通信回路５７が受信した基準時刻に同期した時刻を計時する。
なお、計時部５５は、高安定水晶発振器を備えており、同期後の時刻の計時を安定して維持することが可能となっている。
【００４７】
記憶部５６は、例えば、不揮発性メモリからなり、計時タイム等を記憶する。
この記憶部５６には、例えば、計時ポイント分の記憶エリアがそれぞれ設けられており、各計時ポイントにて計時した計時タイム等をそれぞれの記憶エリアに格納可能となっている。
なお、記憶部５６は、例えば、別エリアに、無線タグ５０毎（競技者ＲＮ毎）に異なる固有の識別情報（タグＩＤ）等を予め記憶している。
【００４８】
通信回路５７は、所定の通信アンテナを介して、上述した送信機２０から送信される基準時刻を受信する。また、通信回路５７は、制御部５４が特定した計時タイムを、自己のタグＩＤと共に、上述した受信機３０に向けて送信する。
なお、通信回路５７は、受信機３０によるポーリング受信にも対応し、計時タイム等を受信機３０に返信する。
【００４９】
以下、上述した計時システムの動作について、図６等を参照して説明する。図６は、処理装置４０が競技中に実行するタグ状況管理処理を説明するためのフローチャートである。このタグ状況管理処理は、競技が開始されると、各計時ポイントの処理装置４０にてそれぞれ実行される。
【００５０】
まず、処理装置４０は、タグ状況一覧の原型を生成する（ステップＳ１１）。
【００５１】
処理装置４０は、時刻同期を終えた無線タグ５０の有無を判別する（ステップＳ１２）。つまり、送信機２０を介して基準時刻を無線タグ５０に送信し、無線タグ５０から応答のタグＩＤを取得したかどうかを判別する。
【００５２】
処理装置４０は、時刻同期を終えた無線タグ５０がないと判別すると、後述するステップＳ１４に処理を進める。
一方、時刻同期を終えた無線タグ５０があると判別した場合に、処理装置４０は、タグ状況一覧を更新する（ステップＳ１３）。例えば、処理装置４０は、図４（ｂ）における対象となるタグＩＤの背景色を黄にし、また、リンクの項目も更新する。
【００５３】
処理装置４０は、計時タイム等を取得したか否かを判別する（ステップＳ１４）。すなわち、ループコイル１１を通過した無線タグ５０から送られる計時タイム等を受信機３０を介して取得したかどうかを判別する。
【００５４】
処理装置４０は、計時タイム等を取得していないと判別すると、後述するステップＳ１６に処理を進める。
一方、計時タイム等を取得したと判別した場合に、処理装置４０は、タグ状況一覧を更新する（ステップＳ１５）。たとえば、処理装置４０は、上述した図４（ａ）における対象となるタグＩＤのタイムをセットする。
【００５５】
処理装置４０は、ポーリングが必要か否かを判別する（ステップＳ１６）。例えば、時刻同期を終えた後、所定時間が経過しても、計時タイムを受信していない無線タグ５０が存在するかどうかを判別する。
なお、上述した図４（ｂ）における任意のタグＩＤが指定され（チェックボックスにチェックが入れられ）、ポーリングを指示された場合にも、処理装置４０は、ポーリングが必要と判別する。
【００５６】
処理装置４０は、ポーリングが必要でないと判別すると、後述するステップＳ１９に処理を進める。
一方、ポーリングが必要であると判別した場合に、処理装置４０は、タグＩＤを指定してポーリング受信を試みる（ステップＳ１７）。
そして、処理装置４０は、ポーリング受信の結果に応じて、タグ状況一覧を更新する（ステップＳ１８）。つまり、処理装置４０は、上述した図４（ｂ）における対象となるタグＩＤの背景色を更新する。例えば、ポーリングが成功した場合に背景色を青にし、逆に、ポーリングが失敗した場合に背景色を赤にする。
【００５７】
処理装置４０は、所定のタイミングで、速報データを送信し、送信結果に応じて、タグ状況一覧を更新する（ステップＳ１９）。つまり、処理装置４０は、上述した図４（ａ）における対象となるタグＩＤの背景色を更新する。例えば、速報データの送信が完了した場合に背景色を青にし、逆に、速報データの送信が失敗した場合に背景色を黄にする。なお、計時タイムの取得自体を失敗した場合には、背景色を赤にする。
【００５８】
処理装置４０は、タグ状況一覧において、ボタンｂ１〜ｂ６の何れかが押下されたか（クリックされたか）否かを判別する（ステップＳ２０）。つまり、競技役員等に操作部４３が操作され、何れか任意のボタンが押下されたかどうかを判別する。
【００５９】
処理装置４０は、何れのボタンも押下されなかったと判別すると、後述するステップＳ２２に処理を進める。
一方、ボタンｂ１〜ｂ６の何れかが押下されたと判別した場合に、処理装置４０は、押下されたボタンにより指定されたステータスのタグＩＤを検索して表示する（ステップＳ２１）。
例えば、速報データの送信が失敗したステータス（背景色が黄）の検索を指示するボタンｂ２が押下された場合、処理装置４０は、このステータスのタグＩＤを検索し、該当するタグＩＤをエリア１ａにその表示内容をスクロールさせて表示する。一例として、図８（ａ），図８（ｂ）に示すように、ボタンｂ１が押下される度にエリア１ａの表示内容がスクロールされて、該当するタグＩＤが順次表示される。このようなボタン操作により、競技役員等は、速報データの送信が失敗した、ポーリングが失敗した等のステータスのタグＩＤを即座に確認でき、再送信、再ポーリング等の障害回復操作を試みることができる。また、検索結果の表示は、スクロール表示に限らず、上述した図７に示すような検索結果の一覧を表示してもよい。
【００６０】
処理装置４０は、計時が全て完了したか否かを判別する（ステップＳ２２）。つまり、全ての競技者ＲＮが当該計時ポイントを通過し、計時の必要がなくなったかどうかを判別する。
処理装置４０は、計時が完了していないと判別すると、ステップＳ１２に処理を戻し、上述したステップＳ１２〜Ｓ２２の処理を繰り返し実行する。
一方、計時が完了したと判別した場合に、処理装置４０は、タグ状況管理処理を終える。
【００６１】
このように、タグ状況管理処理により、指定したステータスに合致する情報を検索し、カレントに表示される。このため、競技役員等がスクロール操作等をして目視で確認を要する情報を探す手間なく、状況を適切に把握することができる。
また、各ボタンｂ１〜ｂ６には、それぞれの件数が表示されるため、誤解や見落とし等も防止できる。
この結果、タイム等の取得状況を適切に管理することができる。
【００６２】
上記の実施の形態では、マラソン競技を一例として説明したが、適用対象となる競技は任意である。
例えば、自転車、オードバイ、自動車、車いす等の他の競技にも、適宜適用可能である。
【００６３】
以上説明したように、タイム等の取得状況を適切に管理することができる。
【図面の簡単な説明】
【００６４】
【図１】本発明の実施の形態に係る計時システムの構成の一例を示す模式図である。
【図２】（ａ）がループコイルの形状の一例を示す模式図であり、（ｂ）が生成される電磁場を説明するための模式図であり、（ｃ）が電磁場の強度分布を説明するための模式図である。
【図３】タグ状況一覧の一例を示す模式図である。
【図４】（ａ）が計時状況の一例を示す模式図であり、（ｂ）がポーリング状況の一例を示す模式図である。
【図５】（ａ）が検出回路の一例を示す回路図であり、（ｂ）が電磁場の検出の様子を説明するための模式図である。
【図６】本発明の実施の形態に係るタグ状況管理処理を説明するためのフローチャートである。
【図７】検索結果の一例を示す模式図である。
【図８】（ａ），（ｂ）共に、検索により計時状況が、スクロール表示される様子を説明するための模式図である。
【符号の説明】
【００６５】
１０  磁場発生装置
１１  ループコイル
２０  送信機
３０  受信機
４０  処理装置
５０  無線タグ
【図１】
2006280608.tif 000003
【図２】
2006280608.tif 000004
【図３】
2006280608.tif 000005
【図４】
2006280608.tif 000006
【図５】
2006280608.tif 000007
【図６】
2006280608.tif 000008
【図７】
2006280608.tif 000009
【図８】
2006280608.tif 000010